(57)【要約】      （修正有）【課題】タンク内の水が腐敗し難く、タンクや加湿手段の保守を容易に行うことができる加湿機能を備えたヘアードライヤを提供すること。【解決手段】加湿手段を備えているヘアードライヤにおいて、加湿手段は、櫛型アタッチメント１６に内に着脱自在に形成された水を保有する保水部材１７ｂを収納した保水ユニット１７からなり、保水ユニット１７は、抗菌剤の収納室１７ｃと、水タンク１７ａと、水タンク１７ａから水が供給される保水部材１７ｂの収容室とを備え、抗菌剤の収納室１７ｃと水タンク１７ａとの間で水が流通できるようになされている。【選択図】図７
2011224196.tif 000002
【特許請求の範囲】
【請求項１】
後端に空気吸込口及び先端に空気吐出し口がそれぞれ開口されたドライヤ本体と、前記ドライヤ本体内に配置されたファン、前記ファンを駆動するモータ及び熱源と、前記ドライヤ本体の先端に着脱された櫛型アタッチメントと、前記ドライヤ本体内からの風を加湿する加湿手段を備えているヘアードライヤにおいて、
前記加湿手段は、前記櫛型アタッチメントに着脱自在に形成された水を保有する保水部材を収納した保水ユニットからなり、
前記保水ユニットは、抗菌剤の収納室と、水タンクと、前記水タンクから水が供給される保水部材の収容室とを備え、前記抗菌剤の収納室と前記水タンクとの間で水が流通できるようになされていることを特徴とするヘアードライヤ。
【請求項２】
前記保水ユニットは、筒状に形成されたケースを備え、前記ケースは、前記抗菌剤の収納室と前記水タンクとが着脱自在に配置されていると共に、前記水タンクと前記保水部材の収容室とが着脱自在に配置されていることを特徴とする請求項１に記載のヘアードライヤ。
【請求項３】
前記抗菌剤は、金属、セラミック、ガラス又はプラスチックのいずれかからなるボール、ペレット、粒子又は粉末のいずれかに銀又は銀合金の皮膜を施しあるいは銀又は銀合金を練り込んだもの、銀又は銀合金粒子から選択されたものであることを特徴とする請求項１又は２に記載のヘアードライヤ。
【請求項４】
前記保水部材は、フェルト、スポンジ、不織布、織布、紙、多孔質のセラミック、発泡金属から選択された少なくとも１つであることを特徴とする請求項１〜３のいずれか１に記載のヘアードライヤ。
【請求項５】
前記櫛型アタッチメントは、片面ブラッシング用のものであり、背面に前記保水ユニットを収納する部屋が形成されていることを特徴とする請求項１〜４のいずれかに記載のヘアードライヤ。
【請求項６】
前記櫛型アタッチメントはカール用のものであり、内部に前記保水ユニットを収納する部屋が形成されていることを特徴とする請求項１〜４のいずれかに記載のヘアードライヤ。
【発明の詳細な説明】
【技術分野】
【０００１】
この発明は、加湿機能を備えたヘアードライヤに関し、詳しくは、タンク内の水が腐敗し難く、タンクや加湿手段の保守を容易に行うことができる加湿機能を備えたヘアードライヤに関する。
【背景技術】
【０００２】
従来から、ヘアードライヤ、ヘアーブロッサ、あるいはハンドドライヤなどと呼ばれるヘアードライヤ類（以下まとめて「へアードライヤ」という）が知られている。このうち、カール機能を重視した、いわゆるカールドライヤにおいては、送風路内に保水部材を備えることにより、カールドライヤ本体の風の吐出し口から吐出される加湿した風によって毛髪の乾燥を防ぎ、快適なセットを行えるようにしたものがある。
【０００３】
例えば、下記特許文献１には、上流端及び下流端に吸込口及び吹出口が開口する風洞と、その風洞内に配置されるファン及びヒータと、前記風洞内に配置され、風洞内を流れる風を加湿する加湿手段とを備える温風発生ユニットを有する髪ケア装置であって、その加湿手段は前記ヒータの下流端よりも上流側に設けられ、水を保水する保水部材で構成され、保水部材としての加湿手段に対して、貯留した水を供給可能な水タンクを備えた髪ケア装置が開示されている。
【０００４】
また、下記特許文献２には、空気吸込口から空気吹出口に至る送風路が形成され、送風路内に設置され空気吸込口から吸込んだ空気を空気吹出口から吹出すファンと、送風路内の送風を加湿する加湿ユニットとを備えた髪ケア装置（ヘアードライヤ）であって、加湿ユニットは、水タンクと、筒状部と、筒状部の内周面及び外周面の少なくともいずれか一方に設けられる加湿部と、を有する筒状加湿体を複数備えるとともに当該加湿部に液体を供給する液体供給部を備えたものが示されている。
【先行技術文献】
【特許文献】
【０００５】
【特許文献１】特開２００９−１０６３６６号公報
【特許文献２】特開２００９−１３６５４８号公報
【発明の概要】
【発明が解決しようとする課題】
【０００６】
上記特許文献１に開示されているヘアードライヤは、水タンクを備え保水部材に水を供給しているために、水を補給する頻度を低減させることができ、また、水タンクが無い構造に比較して長時間に亘って加湿性能を発揮できるという効果を奏する。更に、上記特許文献２に開示されているヘアードライヤでは、複数の筒状加湿体は送風路の内周に沿って環状に配列されており、この筒状加湿体に水タンクを備える液体供給部が連結されているため、加湿部の空気との接触面積が大きく確保できるため加湿性能を高め易くなるという効果を奏する。
【０００７】
しかしながら、上記特許文献１及び２に開示されているヘアードライヤにおいても、加湿のための水が長期間放置されると水が腐敗し、次の使用の際に異臭を発生することがあった。すなわち、これらのヘアードライヤでは、保水部材や筒状加湿体としてフェルト等の不織布や多孔質のセラミックス等が使用されており、水を含ませて湿った不織布や多孔質のセラミックス等に風を当てて湿気を発生させているため、腐敗した水によって織布や多孔質のセラミックス等も臭いを発生し、この臭いがへアードライヤから吹き出すために使用者に不快感を与えてしまうことがあった。
【０００８】
また、上記特許文献１に開示されているヘアードライヤでは、風洞ケース内に水タンクが作り付けになっており、更にその内側にある保水部材と毛細管で連結されているため、タンクや保水部材の保守が困難であるという課題が存在している。更に、上記特許文献２に開示されているヘアードライヤは、送風路内に複数の筒状加湿部を、そして円筒状外郭の上側外面にタンクを設け、タンクと筒状加湿部とを厚肉連結部で連結し、さらに厚肉連結部の隙間に挿入された保水材により連結したものであるが、厚肉連結部による両者間の結合は固定的であるため、タンクと保水部材の保守が困難であるという課題が存在している。
【０００９】
したがって、上記特許文献１及び上記特許文献２に開示されているヘアードライヤでは、長期間の不使用などによりタンク内の水が腐敗した場合においては、タンクと保水部材の保守が困難であった。
【００１０】
本発明は、上述のような従来技術の問題点を解決すべくなされたものであり、加湿器を備えたヘアードライヤにおいて、タンク内の水が腐敗し難く、タンクや加湿手段の保守を容易に行うことができる加湿機能を備えたヘアードライヤを提供することを目的とする。
【課題を解決するための手段】
【００１１】
上記目的を達成するため、請求項１に係る発明のヘアードライヤは、後端に空気吸込口及び先端に空気吐出し口がそれぞれ開口されたドライヤ本体と、前記ドライヤ本体内に配置されたファン、前記ファンを駆動するモータ及び熱源と、前記ドライヤ本体の先端に着脱された櫛型アタッチメントと、前記ドライヤ本体内からの風を加湿する加湿手段を備えているヘアードライヤにおいて、前記加湿手段は、前記櫛型アタッチメントに内に着脱自在に形成された水を保有する保水部材を収納した保水ユニットからなり、前記保水ユニットは、抗菌剤の収納室と、水タンクと、前記水タンクから水が供給される保水部材の収容室とを備え、前記抗菌剤の収納室と前記水タンクとの間で水が流通できるようになされていることを特徴とする。
【００１２】
また、請求項２の発明に係るヘアードライヤは、請求項１に記載のヘアードライヤにおいて、前記保水ユニットは、筒状に形成されたケースを備え、前記ケースは、前記抗菌剤の収納室と前記水タンクとが着脱自在に配置されていると共に、前記水タンクと前記保水部材の収容室とが着脱自在に配置されていることを特徴とする。
【００１３】
また、請求項３の発明に係るヘアードライヤは、請求項１又は２に記載のヘアードライヤにおいて、前記抗菌剤は、金属、セラミック、ガラス又はプラスチックのいずれかからなるボール、ペレット、粒子又は粉末のいずれかに銀又は銀合金の皮膜を施しあるいは銀又は銀合金を練り込んだもの、銀又は銀合金粒子から選択されたものであることを特徴とする。
【００１４】
請求項４の発明に係るヘアードライヤは、請求項１〜３のいずれかに記載のヘアードライヤにおいて、前記保水部材は、フェルト、スポンジ、不織布、織布、紙、多孔質のセラミック、発泡金属から選択された少なくとも１つであることを特徴とする。
【００１５】
請求項５の発明に係るヘアードライヤは、請求項１〜４のいずれかに記載のヘアードライヤにおいて、前記櫛型アタッチメントは、片面ブラッシング用のものであり、背面に前記保水ユニットを収納する部屋が形成されていることを特徴とする。
【００１６】
請求項６の発明に係るヘアードライヤは、請求項１〜４のいずれかに記載のヘアードライヤにおいて、前記櫛型アタッチメントはカール用のものであり、内部に前記保水ユニットを収納する部屋が形成されていることを特徴とする。
【発明の効果】
【００１７】
本発明のへアードライヤによれば、上記の構成を備えることにより、以下に述べるような優れた効果を奏する。すなわち、請求項１に記載の発明によれば、加湿手段は、着脱自在に形成された水を保有する保水部材を収納した保水ユニットからなり、更に保水ユニットは、抗菌剤の収納室と、水タンクと、水タンクから水が供給される保水部材の収容室とを備え、抗菌剤の収納室と水タンクとの間で水が流通できるようになされているので、水タンク内の水は良好に抗菌剤と接触することができるため、加湿手段を構成するタンク内の水や保水部材中の水が腐敗するのを防ぐことができる。
【００１８】
また、請求項２に記載の発明によれば、請求項１に記載の発明の効果に加え、保水ユニットは、筒状に形成されたケースを備え、ケースは、抗菌剤の収納室と水タンクとが着脱自在に配置されていると共に、水タンクと保水部材の収容室とが着脱自在に配置されているので、抗菌剤の交換が容易となり、また、保水部材の保守も容易となる。
【００１９】
請求項３に記載の発明によれば、請求項１又は２に記載の発明の効果に加え、抗菌剤は、金属、セラミック、ガラス又はプラスチックのいずれかからなるボール、ペレット、粒子又は粉末のいずれかに銀又は銀合金の皮膜を施しあるいは銀又は銀合金を練り込んだもの、銀又は銀合金粒子から選択されたものであるため、抗菌部材を経済的価格にすることができるとともに、取り扱いを容易にすることができ、しかも、交換時の詰め替えが容易となる。
【００２０】
請求項４に記載の発明によれば、請求項１〜３のいずれかに記載の発明の効果に加え、保水部材がフェルト、スポンジ、不織布、織布、紙、多孔質のセラミック、発泡金属から選択された少なくとも１つ部材のからなるものであるため、良好にヘアードライヤ内に水分を含有させることができるようになる。なお、保水部材をフェルトからなるものとすると、特に上記効果が良好に奏されるようになる。
【００２１】
請求項５に記載の発明は、櫛型アタッチメントの背面に保水ユニットを収納する部屋が形成されているので、片面ブラッシング用のヘアードライヤにおいても、請求項１〜４のいずれかに記載の発明の効果を奏することができるようになると共に、保水ユニットの交換が容易になる。
【００２２】
請求項６に記載の発明は、櫛型アタッチメントの内部に保水ユニットを収納する部屋が形成されているので、カール用のヘアードライヤにおいても、請求項１〜４のいずれかに記載の発明の効果を奏することができるようになると共に、保水ユニットの交換が容易になる。
【図面の簡単な説明】
【００２３】
【図１】本発明の第１実施形態のヘアードライヤの正面図である。
【図２】図１のヘアードライヤの櫛型アタッチメントの左側面図である。
【図３】図２の櫛型アタッチメントの上面図である。
【図４】図２の櫛型アタッチメントの正面図である。
【図５】図４の櫛型アタッチメントのＡ−Ａ線における横断面図である。
【図６】図２の櫛型アタッチメントの右側面図である。
【図７】図２の櫛型アタッチメントの分解斜視図である。
【図８】本発明の第２実施形態のヘアードライヤを示す正面図である。
【図９】図８のヘアードライヤに使用される櫛型アタッチメントの正面図である。
【図１０】図９の櫛型アタッチメントのＢ−Ｂ線における横断面図である。
【図１１】図９の櫛型アタッチメントの左側面図である。
【図１２】図１１の櫛型アタッチメントの上面図である。
【図１３】図９の櫛型アタッチメントの分解斜視図である。
【図１４】図１４Ａ及び図１４Ｂは保水ユニットの角度を変えた斜視図であり、図１４Ｃは側面図であり、図１４Ｄは正面図であり、図１４Ｅは平面図である。
【図１５】図１５Ａ及び図１５Ｂは保水ユニットの変形例の角度を変えた斜視図であり、図１５Ｃは側面図であり、図１５Ｄは正面図であり、図１５Ｅは平面図であり、図１５Ｆは図１５ＥのＣ−Ｃ線における縦断面図である。
【発明を実施するための形態】
【００２４】
以下、図面を参照して、本発明の実施形態を説明する。但し、以下に示す実施形態は、本発明の技術思想を具体化するためのヘアードライヤとしてのカールドライヤを例示するものであって、本発明をこのカールドライヤに特定することを意図するものではなく、特許請求の範囲に含まれるその変形例のものにも等しく適用し得るものである。
［第１実施形態］
第１実施形態のヘアードライヤとして、カールドライヤの例を図１〜図６を用いて説明する。なお、図１は本発明の第１実施形態のカールドライヤの正面図である。図２は図１のカールドライヤの本体にとりつけられる櫛型アタッチメントの左側面図である。図３は図２の櫛型アタッチメントの上面図である。図４は図２の櫛型アタッチメントの正面図である。図５は図４の櫛型アタッチメントのＡ−Ａ線における横断面図である。図６は図２の櫛型アタッチメントの右側面図である。
【００２５】
図１に示すカールドライヤ１は、筒型をしたカールドライヤ本体１１を備えている。カールドライヤ１は、図示を省略した熱源、ファン及びファンを駆動するモータを内蔵したカールドライヤ本体１１の先端の空気吐出し口１２に櫛型のアタッチメント１６を取り付けたものである。カールドライヤ本体１１の表面には、電源のＯＮ及び通常の送風をするヘアケアモードと、強い風を送風するターボモードと、電源ＯＦＦとの切替えを行なうメインスイッチ１４が設けられている。また、送風のホットとクールとを切替えるスイッチ１３も設けられている。更に、櫛型アタッチメントの着脱ボタン１５も備えている。
【００２６】
このカールドライヤ本体１１のケースは、図１に示すように、前部分１１ａと後部カバー１１ｂから構成され、その先端に櫛型アタッチメント１６が着脱自在に取り付けられる。ケースの前部分１１ａ及び櫛型アタッチメント１６は、ポリカーボネートや耐熱性ＡＢＳ樹脂等の耐熱性プラスチックスの成型品により構成される。
【００２７】
カールドライヤ本体１１は、前部分１１ａの前部においては輪郭が前方に向けてやや先細になった略円筒形をなしており、その内部は、図示を省略したが、後述するように２つの部分からなり、カールドライヤ本体１１の後端、すなわちケースの後端は吸気口であり、外気を導入するための多数の蜂の巣状の孔を備えた円形ドーム形状をなす樹脂製の後部カバー１１ｂが取り付けられている。カールドライヤ本体１１の空気吐出し口１２は、風の吹き出し口となっており、そこに櫛型アタッチメント１６が着脱自在に取り付けられている。
【００２８】
一方、カールドライヤ本体１１の後部カバー１１ｂの中心からは、給電用の電気コード（図示省略）がカールドライヤ本体１１を回転させてももつれないようにして引き出されている。
【００２９】
図示を省略したが、このカールドライヤ本体１１の内部には、熱風発生室が配置されている。すなわち、円筒形に形成された熱風発生室は、カールドライヤ本体１１の外壁の中に絶縁外筒が配置され、熱風発生室の先端の外部へ熱風を吹き出す位置に吹き出し口グリルが取り付けられ、絶縁外筒の内部にニクロム線などの熱源が配置され、更に熱源の後方には送風室が配置され、この送風室内にはモータに連結されたファンが設けられている。この送風室内のファンにより、後部カバー１１ｂの吸気口から取り込んだ空気を熱風発生室に送りこむ。
【００３０】
モータに連結された送風室内のファンによる風は、熱風発生室の放熱板の間を前方の櫛型アタッチメント１６に向かって送られる。なお、熱風発生室の先端部には、カールドライヤ本体１１の先端から櫛型アタッチメント１６内に突出するイオン発生のための放電装置が設けられている場合もある。
【００３１】
次に、櫛型アタッチメント１６について説明する。櫛型アタッチメント１６は、ブラッシング用のものであり、基部１６ａ、曲面を形成している前面基板１６ｂ、前面基板から列を成して放射状に突出する多数の櫛の歯１６ｃ、１６ｄ、前面基板１６ｂに設けた複数の並行する溝状をなしている風の吹出し口１６ｅを備えている。櫛の歯１６ｃはピン状のものでもあるので以下には櫛の歯（ピン）として示すことにする。
【００３２】
カールドライヤ本体１１の先端に着脱自在に嵌めこまれる櫛型アタッチメント１６の基部１６ａは、図示を省略した底面には、櫛型アタッチメント１６が取り付けられるカールドライヤ本体１１の先端に対応して円形の取付け部を備えている。櫛型アタッチメント１６は、カールドライヤ本体１１の空気吐出し口１２にその基部１６ａが着脱可能な取り付け手段によって保持される。この取り付け手段は、この実施例では空気吐出し口に嵌め合わせてフックにより係合し固定されるようになっているが、ねじ込みなどのカールドライヤ本体１１に櫛型アタッチメント１６を着脱自在に装着できるものであれば特に限定はなく、公知の手段を用いることができる。
【００３３】
図２〜図６に示したように、基部１６ａの上には突出する複数の櫛の歯（ピン）１６ｃ、１６ｄを備えた前面基板１６ｂが曲面を持って形成されている。櫛型アタッチメント１６の櫛の歯（ピン）は、図示したように、前面基板１６ｂの中央部に７列の櫛の歯（ピン）１６ｃが突出している。櫛の歯（ピン）１６ｃは弾力性があり、また、各櫛の歯（ピン）の先端部が丸く滑らかに仕上げられている。そのため肌をいためることなく、櫛としても、使い心地のよいものが得られる。
【００３４】
櫛の歯（ピン）１６ｄは、櫛の歯（ピン）１６ｃよりも短く、櫛の歯（ピン）１６ｃの両側に前面基板１６ｂの縁辺に前面基板と一体に設けられたピンであり、髪の毛を根元まで捕まえてしっかりカールさせるためのものである。前面基板と櫛の歯（ピン）１６ｃ、１６ｄはゴムで形成されている。
【００３５】
また、櫛型アタッチメント１６の前面基板１６ｂの背後には、図７に示すように、加湿手段が収納される部屋１６ｆが設けてある。加湿手段は、前面基板１６ｂの背面に設けた保持爪１６ｈで保持される。なお、図７は櫛型アタッチメント１６の分解斜視図であり、加湿手段の収納室１６ｆから背後カバー１６ｇ、保水ユニット１７を取り外した状態を示している。
【００３６】
加湿手段は、櫛型アタッチメント１６に着脱自在に形成された保水ユニット１７であり、タンク１７ａと水を保有する保水部材１７ｂが収納されている。そして、保水ユニット１７は抗菌剤の収納室１７ｃを備え、保水部材１７ｂに供給される水は、抗菌剤の収納室１７ｃの端面に設けた供給口から抗菌剤の収納室１７ｃを通過して供給されるように構成されている。また、抗菌剤の収納室１７ｃは、タンク１７ａに着脱自在となされており、抗菌剤としては銀（Ａｇ）ペレットが用いられている。そして、櫛型アタッチメント１６の加湿手段の収納室１６ｆの開口部は、背後カバー１６ｇで覆われ、この背後カバー１６ｇが嵌め合されて閉じられる。なお、保水ユニット１７の具体的構成については後述する。
【００３７】
カールドライヤ本体１１のスイッチ１３によりファンモータ及び熱源がＯＮ状態とされると、ファンによって吸気口から送風室に空気が吸い込まれる。吸い込まれた空気は、熱風発生室内で加熱されて熱風となり、カールドライヤ本体１１の空気吐出し口１２から吹き出され、櫛型アタッチメント１６を介して毛髪に吹き付けられる。スイッチ1３によりファンのみをＯＮすると、冷風が吹き出される。
【００３８】
カールドライヤ本体１１の空気吐出し口１２から吹出した冷風や温風は、空気吐出し口１２に保持された櫛型アタッチメント１６の加湿手段が収納された部屋１６ｆを通って前面基板１６ｂの溝形の開口１６ｅから吹出す。風は加湿手段が収納された部屋１６ｆを通る過程で加湿され、適度の湿り気をもって吹出すことになる。このようなカールドライヤ１によれば、加湿された風により髪に潤いを持たせるので、毛髪の手入れがスムースにできる。カールドライヤ本体１１からの空気供給量の増減、温風、冷風の選択は適宜行なうことができる。
【００３９】
そして、第１実施形態のカールドライヤ１では、保水ユニット１７には、タンク１７ａと水を保有する保水部材１７ｂが収納されており、しかも、保水部材１７ｂに供給される水は銀ペレットからなる抗菌剤の収納室１７ｃを通過して供給されるように構成されているため、タンク１７ａ内の水は腐敗し難くなる。加えて、第１実施形態のカールドライヤ１では、保水ユニット１７をカールドライヤ１の内部から取り出すことができるので、タンク１７ａ、保水部材１７ｂ及び抗菌剤の収納室１７ｃの保守を容易に行うことができる。
［第２実施形態］
本発明の第２実施形態のカールドライヤを図８〜図１３を用いて説明する。なお、図８は第２実施形態のカールドライヤ２０の正面図である。図９は図８のカールドライヤの本体にとりつけられた櫛型アタッチメントの正面図である。図１０は図９の櫛型アタッチメントのＢ−Ｂ線における横断面図である。図１１は図９の櫛型アタッチメントの左側面図である。図１２は図１１の櫛型アタッチメントの上面図である。図１３は図９の櫛型アタッチメントの分解斜視図である。
【００４０】
カールドライヤ２０は、図８に示すように、筒型をしたカールドライヤ本体２１を備えている。カールドライヤ２０は、図示を省略した熱源、ファン及びファンを駆動するモータを内蔵したカールドライヤ本体２１の先端の空気吐出し口２２にカール用の櫛型アタッチメント２６を取り付けたものである。
【００４１】
カールドライヤ本体２１の表面には、電源のＯＮ及び通常の送風をするヘアケアモードと、強い風を送風するターボモードと、電源ＯＦＦとの切替えを行なうメインスイッチ２４が設けられている。また、送風のホットとクールとを切替えるスイッチ２３も設けられている。更に、櫛型アタッチメント２６の着脱ボタン２５も備えている。
【００４２】
このカールドライヤ本体２１のケースは、前部分２１ａと後部カバー２１ｂから構成され、その先端に櫛型アタッチメント２６が着脱自在に取り付けられる。ケースの前部分２１ａ及び櫛型アタッチメント２６は、ポリカーボネートや耐熱性ＡＢＳ樹脂等の耐熱性プラスチックスの成型品により構成される。
【００４３】
カールドライヤ本体２１は、前部分２１ａの前部において輪郭が前方に向けやや先細になった略円筒形をなしており、その内部は図示を省略したが後述するように２つの部分からなり、カールドライヤ本体２１の後端、すなわちケースの後端は吸気口であり、外気を導入するための多数の蜂の巣状の孔を備えた樹脂製の円形ドーム形状に成形された後部カバー２１ｂが取り付けられている。カールドライヤ本体２１の空気吐出し口２２は風の吹き出し口となっており、そこに櫛型アタッチメント２６が着脱自在に取り付けられている。一方、カールドライヤ本体２１の後部カバー２１ｂの中心からは給電用の電気コード（図示省略）が、カールドライヤ本体２１を回転させてももつれないようにして引き出されている。
【００４４】
また、図示を省略したが、このカールドライヤ本体２１の内部には、熱風発生室が配置されている。すなわち、円筒形に形成された熱風発生室は、カールドライヤ本体２１の外壁の中に絶縁外筒が配置され、熱風発生室の先端の外部へ熱風を吹き出す位置に吹き出し口グリルが取り付けられ、絶縁外筒の内部にニクロム線などの熱源が配置され、更に熱源の後方には送風室が配置され、この送風室内にはモータに連結されたファンが設けられている。
【００４５】
この送風室内のファンにより、後部カバー２１ｂの吸気口から取り込んだ空気を熱風発生室に送りこむ。モータに連結された送風室内のファンによる風は、熱風発生室の放熱板の間を前方の櫛型アタッチメント２６に向かって送られる。
【００４６】
次に、櫛型アタッチメント２６について説明する。第２実施形態の櫛型アタッチメント２６は、カール用のものであり、基部２６ａに続いて複数の空気吹出し孔が設けられた空気噴出し部２６ｈ（図９参照）を経て、円筒形のカール用櫛体を形成している円筒基体２６ｂを備えている。円筒基体２６ｂには複数の縦列を形成して放射状に突出する多数の櫛の歯２６ｃ、円筒基体２６ｂに設けられた複数の並行する溝状をなしている風の吹出し口２６ｅを備えている。櫛の歯２６ｃはピン状のものでもあるので以下には櫛の歯（ピン）として示すことにする。なお、櫛型アタッチメント２６の基部周囲に設けた風の吹き出し孔２６ｈがあって、風の吹き出しに対する抵抗が少ないので、ファンに対する負荷は比較的小さくなり、風量の損失が少ない。
【００４７】
カールドライヤ本体２１の先端に着脱自在に嵌めこまれる櫛型アタッチメント２６の基部２６ａは、図示を省略した底面は、櫛型アタッチメント２６が取り付けられるカールドライヤ本体２１の先端に対応して円形の取付け部を備えている。櫛型アタッチメント２６は、カールドライヤ本体２１の空気吐出し口２２である前端開口部２２にその基部２６ａが着脱可能な取り付け手段によって保持される。この取り付け手段は、この実施例２では空気吐出し口２２に嵌め合わせてフックにより係合し固定されるようになっているが、ねじ込みなどのカールドライヤ本体２１に櫛型アタッチメント２６を着脱自在に装着できる手段であれば特に限定はなく、公知の手段を採用することができる。
【００４８】
図９〜図１２に示したように、円筒基体２６ｂは放射状に突出する複数の櫛の歯（ピン）２６ｃを備えて形成されている。櫛型アタッチメント２６からは、図示したように、円筒基体２６ｂの周面に１６列の櫛の歯（ピン）１６ｃが突出している。櫛の歯（ピン）１６ｃは弾力性があり、また、各櫛の歯（ピン）の先端部が丸く滑らかに仕上げられている。そのため肌をいためることなく、櫛としても、使い心地のよいものが得られる。櫛の歯（ピン）１６ｃの間には、やや細長い溝状の貫通孔２６ｅが、ファンが送り出した空気が吹出す穴として櫛の歯（ピン）１６ｃの根元から風を吹出すように形成されている。そのため、風を通すことができるので、使用に際してはカールドライヤ２０を回転させてピンにからげた頭髪に温風を送り、形崩れしないように髪形をカールすることができる。
【００４９】
櫛型アタッチメント２６の円筒基体２６ｂの内部の長手方向中央には加湿手段が収納される部屋２６ｆが設けてある。加湿手段は、櫛型アタッチメント２６に着脱自在に形成された保水ユニット２７であり、タンク２７ａと水を保有する保水部材２７ｂが収納され、さらに抗菌剤の収納室２７ｃを備えている。そして、タンク２７ａと抗菌剤の収納室２７ｃとは、水が流通するように孔が設けられており、保水部材２７ｂに供給される水は、抗菌剤を含んだものが供給されるように構成されている。抗菌剤の収納室２７ｃは、タンク２７ａに着脱自在に取り付けられており、抗菌剤としては銀（Ａｇ）ペレットが用いられている。
【００５０】
図１３は櫛型アタッチメント２６の分解斜視図である。保水ユニット２７は、図１３に示すように、ホルダー２８に挿入され、ホルダー２８とともに加湿手段が収納される部屋２６ｆに、円筒基体２６ｂの端面から挿入されて、櫛型アタッチメント２６に保持される。そして、保水ユニット２７が収納された、加湿手段の収納室２６ｆの開口部は、先端カバー２６ｇで覆われ、この先端カバー２６ｇが円筒基体２６ｂに嵌め合されて閉じられる。
【００５１】
ホルダー２８は、部屋２６ｆの内径に収まり円筒基体２６ｂに保持される円筒状の保持部２８ａ、保持部２８ａから伸びた４本の支竿２８ｂ、支竿２８ｂの端部に固定された中央に風孔を有するホルダー底２８ｃを備えている。
【００５２】
支竿２８ｂの中間部は必要な数のリング２８ｄで連結され強化されている。部屋２６ｆに挿入するとホルダー２８の保持部は、その爪が部屋２６ｆの端面に設けた爪に係止されて保持される。このようなホルダー２８に保持されているので、支竿２８ｂ部分の露出している保水ユニット２７の保水部材２７ｂにカールドライヤ本体２１からの冷風や温風が当たると、冷風や温風が加湿されて先端方向に送られるが、先端部は先端カバー２６ｇで塞がれているので櫛型アタッチメント２６の円筒基体２６ｂの溝状の貫通孔２６ｅから周囲に吹出すことになる。
【００５３】
すなわち、カールドライヤ本体２１の前端開口部２２から吹出した冷風や温風は、前端開口部２２に保持された櫛型アタッチメント２６の加湿手段が収納された部屋２６ｆを通って円筒基体２６ｂの溝状の開口２６ｅから吹出す。風は加湿手段が収納された部屋２６ｆを通る過程で加湿され、適度の湿り気をもって吹出すことになる。このようなカールドライヤ２０によれば、加湿された風により髪に潤いを持たせるので、ピンに巻きつけた毛髪にウエーブをつけて、ふんわりしたカールを容易に形成できる。カールドライヤ本体２１からの空気供給量の増減、温風、冷風の選択は適宜行なうことができる。
【００５４】
そして、第２実施形態のカールドライヤ２０では、保水ユニット２７には、タンク２７ａと水を保有する保水部材２７ｂが収納されており、しかも、保水部材２７ｂに供給される水は銀ペレット等の抗菌剤の収納室２７ｃを通過して供給されるように構成されているため、タンク２７ａ内の水は腐敗し難くなる。加えて、第２実施形態のカールドライヤ２では、保水ユニット２７をカールドライヤ２の内部から取り出すことができるので、タンク２７ａ、保水部材２７ｂ及び抗菌剤の収納室２７ｃの保守を容易に行うことができる。
［保水ユニット］
ここで、第１実施形態及び第２実施形態のカールドライヤ１、２０で使用し得る保水ユニット３０の具体的構成について、図１４を用いて説明する。なお、図１４Ａ及び図１４Ｂは保水ユニット３０の角度を変えた斜視図であり、図１４Ｃは側面図であり、図１４Ｄは正面図であり、図１４Ｅは平面図である。
【００５５】
この保水ユニット３０は、金属やプラスチック材などにより筒状に形成されたケースからなり、抗菌剤の収納室３１と、加湿手段としての保水部材３２に対して貯留した水を供給可能なタンク３３と、保水部材３２の保持室３４と、保持室３４に保持されて水を発散する保水部材３２を備えている。
【００５６】
抗菌剤の収納室３１は、一端に水密な蓋で塞がれた開閉可能な給水口３１ａを備え、他端はタンク３３への取付け面となっている。タンク３３への取付け面には、図示を省略したが、タンク３３との水の流通が可能な孔が形成されている。抗菌剤の収納室３１はタンク３３と着脱自在に形成されているので、水中に溶出させる抗菌剤の収納及び取替えが可能である。抗菌剤の収納室３１は、保水ユニット３０を櫛型アタッチメントから取り外した状態においてのみ、タンク３３からの着脱が可能となる。したがって、保水ユニットを櫛型アタッチメントから取り外した状態においてのみ、抗菌剤を水中に溶出させる部材の交換が可能となる。
【００５７】
また、タンク３３の一端面には抗菌剤の収納室３１との連通孔が設けてあり、他方の端面には保持室３４に水を供給するための孔が形成されている。
【００５８】
保水部材３２の保持室３４は、タンク３３に連結される一端面にはタンクからの水の供給を受けるための孔（図示省略）を備えている。保持室３４の他の端面３４ｂ及び周囲の面３４ｃ、３４ｄ、３４ｅ、３４ｆにはそれぞれ開口が設けられ、保持室３４内に保持されたフェルト等の不織布や多孔性セラミックス等の保水部材３２が露出するようになされている。また、保水部材３２の保持室３４はタンク３３と着脱できるように形成されている。そのため、保水部材３２の保守が容易となる。
【００５９】
抗菌剤の収納室３１の給水口３１ａからピペットなどで注入された水は、抗菌剤の収納室３１を通過してタンク３３に貯留され、タンク３３から供給される水により保持室３４の保水部材３２が湿らされ、その表面から水を排出するように配置されている。
【００６０】
抗菌剤は、例えば、銀イオンを液中に溶出させる銀を施したペレットが用いられる。銀は、銀イオン状態の時に広い範囲の細菌に対して抗菌作用が強く、ごく微量の濃度で細菌の発育を抑制し又は死滅させることができることが知られている。その抗菌・殺菌効果で藻の発生を防止でき、有機物の発生やぬめりの発生を抑え、原生動物や水中懸濁を減少させることができるので消臭剤や抗菌剤として使用することができる。
【００６１】
このような特性から銀系の抗菌剤は、最近では家庭用浄水器や洗濯機等にも使用されている。更に銀系抗菌剤の特徴として、古来食器や装飾品に使用されてきたようにきわめて安全性が高いことがあげられる。また、銀イオンによる機械の腐食や、皮膚への刺激、薬品臭、環境汚染の問題は無い。更に、最近は、銀を添加した電解液中で陽極酸化皮膜を形成したアルミニウムやアルミニウム合金が、長期間にわたり銀イオンを放出し、脱臭機能や抗菌機能を発揮することも知られている。本発明で用いた抗菌剤は、銀イオンのこのような特性を利用して消臭抗菌効果を持たせたものである。
【００６２】
銀イオンの発生源としては銀あるいは銀合金自体でも差し支えないが、銀イオンを水に溶出させる部材は、金属、セラミック、ガラス又はプラスチックのいずれかからなるボール、ペレット、粒子又は粉末のいずれかに銀又は銀合金の皮膜を施しあるいは銀又は銀合金を練り込んだものとするとよい。このような形態にすると、抗菌部材を経済的価格にすることができるとともに、取り扱いを容易にすることができ、しかも、交換時の詰め替えが容易となる。
【００６３】
銀系抗菌剤を収納室３１の内部に保持し、タンク３３内に貯留された水を接触させることによって、タンク３３の水中に安定的に銀イオンを供給することができる。なお、タンク３３内の水は、カールドライヤの使用時間の経過に従って減少するが、カールドライヤの使用時にはカールドライヤの傾きが種々の方向に変化するため、収納室３１内の銀系抗菌剤と良好に接触することができる。そのため第１及び第２実施形態のカールドライヤによれば、銀イオンの抗菌作用を利用して水の消臭、抗菌が可能となり、この銀イオンを含む水を連続的に保水部材３２に供給することができるようになる。
【００６４】
なお、保水部材は、例えばフェルト、スポンジ、不織布、織布、紙、多孔質のセラミック、発泡金属などによって形成することができるが、保水と湿気の放出の両者のバランスが優れているという観点からフェルト等の不織布が好ましい。なお、保水部材３２は一端をユニットのタンクの一端に接触させ、他の部分をケースから露出させる。タンク３３からは安定的に銀イオンを含んだ水を保水部材３３に供給することができるので、銀イオンの抗菌作用を利用して保水部材３３の消臭、抗菌が可能となる。
［保水ユニットの変形例］
次に、図１４に示した保水ユニット３０の変形例の構成について、図１５を用いて説明する。なお、図１５Ａ及び図１５Ｂは変形例の保水ユニット４０の角度を変えた斜視図であり、図１５Ｃは側面図であり、図１５Ｄは正面図であり、図１５Ｅは平面図であり、図１５Ｆは図１５ＥのＣ−Ｃ線における縦断面図である。
【００６５】
この変形例の保水ユニット４０は、金属やプラスチック材などにより製造され、筒状に形成されたケースであり、抗菌剤の収納室４１と、加湿手段としての保水部材４２に対して貯留した水を供給可能なタンク４３と、保水部材４２の保持室４４と、保持室４４に保持されて水を発散する保水部材４２を備える。なお、抗菌剤は、図１４に示した保水ユニット３０の場合と同様、銀系の抗菌剤を使用し得る。
【００６６】
変形例の保水ユニット４０では、抗菌剤の収納室４１は一端が閉鎖された端面となっており、他端はタンク４３への取付け面となっている。タンク４３の取付け面には水の流通が可能な孔４１ａが形成されている。抗菌剤の収納室４１はタンク４３と着脱自在に形成されているので、水中に溶出させる抗菌剤の収納及び取替えが可能である。抗菌剤の収納室４１は、保水ユニット４０を櫛型アタッチメントから取り外した状態においてのみ、タンク４３からの着脱が可能となる。したがって、保水ユニットを櫛型アタッチメントから取り外した状態においてのみ、抗菌剤を水中に溶出させる部材の交換が可能となる。
【００６７】
また、タンク４３の一端面には抗菌剤の収納室４１の孔４１ａとの連通孔４３ａが設けてあり、他方の端面には保持室４４に水を供給するための孔４３ｂが設けられている。図１５Ｆに示したように、タンク４３の胴部の１面には給水口４３ｃを備えており、開閉可能な水密の蓋４３ｄが取り付けられている。タンク４３への給水は、ピペット、スポイトなどで行なうと容易に行なうことができる。
【００６８】
保水部材の保持室４４はタンク４３と着脱自在に形成されている。保水部材４２の保持室４４は、一端面がタンク４３に連結され、その連結側で保水部材４２がタンクからの水の供給を受けるための孔（図示省略）に接触している。保持室４４の他の端面４４ｂ及び周囲の面４４ｃ、４４ｄ、４４ｅ、４４ｆにはそれぞれ開口が設けられ、保持室４４内に保持されたフェルト等の不織布や多孔性セラミックス等の保水部材４２が露出するようになされている。
【００６９】
タンク４３の開閉可能な水密の蓋４３ｄからタンク４３内に供給された水は、タンク４３と抗菌剤の収納室４１とが連通しているため、抗菌剤と接触するために銀イオンを含む状態となってタンク４３に貯留される。なお、タンク４３内の水は、カールドライヤの使用時間の経過に従って減少するが、カールドライヤの使用時にはカールドライヤの傾きが種々の方向に変化するため、収納室４１内の銀系抗菌剤と良好に接触することができる。そのため変形例の保水ユニット４０を用いても、第１及び第２実施形態のカールドライヤによれば、銀イオンの抗菌作用を利用して水の消臭、抗菌が可能となり、この銀イオンを含む水を連続的に保水部材４２に供給することができるようになる。
【００７０】
このような変形例の保水ユニット４０においても、タンク４３からは安定的に銀イオンを含んだ水を保水部材４２に供給することができるので、銀イオンの抗菌作用を利用して保水部材４２の消臭、抗菌が可能となる。
【００７１】
以上述べたように、本発明のヘアードライヤによれば、その加湿手段が、ヘアードライヤの櫛型アタッチメント内部に着脱自在に収納されるものであり、水を保有させる保水部材とタンクと抗菌剤が着脱可能に結合された保水ユニットで構成されているヘアードライヤを提供することができる。
【００７２】
更に、本発明のヘアードライヤによれば、水を保有させる保水部材とタンクと抗菌剤の収納室が互いに着脱可能に結合された保水ユニットで構成されているため、加湿手段を構成するタンクや保水部材の水が腐敗するのを防ぐことのできるヘアードライヤを提供することができる。
【００７３】
なお、上記実施形態１及び２では、ヘアードライヤとしてカールドライヤの場合を例に説明したが、本発明はこれらのカールドライヤに限定解釈されるべきではなく、本発明の要旨を逸脱しない範囲で適宜変形することが可能である。例えば、カールドライヤに限ることなく、ヘアーブラシやヘアアイロンその他のヘアードライヤにあっても本発明を適用することができる。
【符号の説明】
【００７４】
１    カールドライヤ
１１    カールドライヤ本体
１１ａ  前部分
１１ｂ  後部カバー
１２    空気吐出し口
１３    スイッチ
１４    メインスイッチ
１５    着脱ボタン
１６    櫛型アタッチメント
１６ａ  基部
１６ｂ  前面基板
１６ｃ、１６ｄ  櫛の歯（ピン）
１６ｅ  風の吹出し口
１６ｆ  加湿手段が収納される部屋
１６ｇ  背後カバー
１７    保水ユニット
１７ａ  タンク
１７ｂ  保水部材
１７ｃ  抗菌剤の収納室
２０    カールドライヤ
２２    前端開口部
２６    櫛型アタッチメント
２６ａ  基部
２６ｂ  円筒基体
２６ｃ  櫛の歯（ピン）
２６ｅ  吹出し口
２６ｈ  空気噴出し部
２６ｆ  加湿手段が収納される部屋
２６ｇ  先端カバー
２７    保水ユニット
２７ａ  タンク
２７ｂ  水を保有する保水部材
２７ｃ  抗菌剤の収納室
２８    ホルダー
２８ａ  保持部
２８ｂ  支竿
２８ｃ  ホルダー底
２８ｄ  リング
３０、４０    保水ユニット
３１、４１    抗菌剤の収納室
３１ａ、４１ａ  給水口
３２、４２    保水部材
３３、４３    タンク
３４、４４    保持室
３４ｂ、４４ｂ  他の端面
３４ｃ、３４ｄ、３４ｅ、３４ｆ  周囲の面
４４ｃ、４４ｄ、４４ｅ、４４ｆ  周囲の面
【図１】
2011224196.tif 000003
【図２】
2011224196.tif 000004
【図３】
2011224196.tif 000005
【図４】
2011224196.tif 000006
【図５】
2011224196.tif 000007
【図６】
2011224196.tif 000008
【図７】
2011224196.tif 000009
【図８】
2011224196.tif 000010
【図９】
2011224196.tif 000011
【図１０】
2011224196.tif 000012
【図１１】
2011224196.tif 000013
【図１２】
2011224196.tif 000014
【図１３】
2011224196.tif 000015
【図１４】
2011224196.tif 000016
【図１５】
2011224196.tif 000017